(57)【要約】【課題】扉スロート部において、庫内と庫外の熱交換を抑制し、より優れた断熱箱体を備えた冷蔵庫を提供することを目的とする。【解決手段】扉８に設けられ貯蔵室の前面開口部に密着するガスケット４２と、断熱箱体内に設けられた軟質材４４とを備え、ガスケット４２は、マグネットを内蔵したマグネット保持部５３と、扉８に設けた溝と係合する取付部５４と、取付部５４とマグネット保持部５３を伸縮自由に接続する可撓部５５と、マグネット保持部５３の下部に接してマグネット保持部５３と可撓部５５との間に形成したマグネット下袋状部５６と、を備え、断熱箱体と密着するマグネット当接面５１の基準面に対し扉内側に位置してガスケット凸部４５を備えたことにより、ガスケット４２と軟質材４４と断熱箱体および断熱扉で独立した空気層を形成でき、庫内と庫外の熱交換を抑制することができる。【選択図】図３
2018066537.tif 000002
【特許請求の範囲】
【請求項１】
内箱と、外箱と、前記内箱および前記外箱の間に充填された断熱材とにより形成された断熱箱体と、前記断熱箱体内の貯蔵室の前面に備えた開閉可能な扉と、前記扉に設けられ前記貯蔵室の前面開口部に密着するガスケットと、前記断熱箱体内に設けられた軟質材とを備え、前記ガスケットは、マグネットを内蔵したマグネット保持部と、前記扉に設けた溝と係合する取付部と、前記取付部と前記マグネット保持部を伸縮自由に接続する可撓部と、マグネット保持部の下部に接してマグネット保持部と可撓部との間に形成したマグネット下袋状部と、を備え、前記断熱箱体と密着するマグネット当接面の基準面に対し扉内側に位置してガスケット凸部を備えた冷蔵庫。
【請求項２】
前記軟質材は前記ガスケット凸部と接近または当接するように構成された請求項１に記載の冷蔵庫。
【請求項３】
前記軟質材の庫内側平面は前記取付部より扉凸部側に位置するように構成された請求項１または２に記載の冷蔵庫。
【請求項４】
前記ガスケット凸部は、袋状またはヒレで構成された請求項１から３のいずれか一項に記載の冷蔵庫。
【発明の詳細な説明】
【技術分野】
【０００１】
本発明は、断熱性を向上したガスケットを備えた冷蔵庫に関するものである。
【背景技術】
【０００２】
冷蔵庫のガスケットは断熱箱体との断熱性と長期耐久性を確保することができる形状が考案されている。（例えば、特許文献１参照）
以下、図面を参照しながら、上記従来の冷蔵庫について説明する。
【０００３】
図４は従来の冷蔵庫のガスケットの断面である。
【０００４】
ガスケット１３０は、マグネットを内蔵したマグネット保持部１３１と、断熱扉に設けた溝と係合する取付部１３２と、取付部１３２とマグネット保持部１３１を伸縮自由に接続する可撓部１３３と、マグネット保持部１３１の下部に接してマグネット保持部１３１と可撓部１３３との間に形成したマグネット下袋状部１３４と、可撓部１３３と連結部で連結した貯蔵室側の方向に突出した輪形状を有する内周側袋状部１３６とを備え、内周側袋状部１３６の前後方向の中心は、断熱箱体と密着するマグネット当接面の基準面に対し、扉側に位置する。先述の位置関係により、閉扉時に圧縮される内周側袋状部１３６の変形量を小さくすることができ、断熱箱体と断熱扉気密性と長期耐久性を確保することができる。
【先行技術文献】
【特許文献】
【０００５】
【特許文献１】特開２０１４−２３８２１１号公報
【発明の概要】
【発明が解決しようとする課題】
【０００６】
しかしながら、上記従来のガスケットを有する冷蔵庫でも、ガスケットと断熱壁と断熱扉とを確実に当接させ、冷気洩れを抑制することが難しいという課題を有していた。
【０００７】
本発明は上記従来の課題を解決するものであり、ガスケットと軟質材と断熱箱体および断熱扉の空間に空気層を形成することにより、庫内と庫外の熱交換を抑制し、より優れた断熱箱体を備えた冷蔵庫を提供することを目的とする。
【課題を解決するための手段】
【０００８】
上記従来の課題を解決するために、本発明の冷蔵庫は、内箱と、外箱と、前記内箱および前記外箱の間に充填された断熱材とにより形成された断熱箱体と、前記断熱箱体内の貯蔵室の前面に備えた開閉可能な扉と、前記扉に設けられ前記貯蔵室の前面開口部に密着するガスケットと、前記断熱箱体内に設けられた軟質材とを備え、前記ガスケットは、マグネットを内蔵したマグネット保持部と、前記扉に設けた溝と係合する取付部と、前記取付部と前記マグネット保持部を伸縮自由に接続する可撓部と、マグネット保持部の下部に接してマグネット保持部と可撓部との間に形成したマグネット下袋状部と、を備え、前記断熱箱体と密着するマグネット当接面の基準面に対し扉内側に位置してガスケット凸部を備えたものである。
【０００９】
これにより、庫内と庫外が連通する空間に、ガスケットと軟質材と断熱箱体および断熱扉で独立した空気層を形成でき、庫内と庫外の熱交換を抑制することができる。
【発明の効果】
【００１０】
本発明の冷蔵庫は、ガスケットと軟質材と断熱箱体および断熱扉で独立した空気層を形成でき、庫内と庫外の熱交換を抑制することができるので、省エネ性を高めた冷蔵庫を提供することができる。
【図面の簡単な説明】
【００１１】
【図１】本発明の実施の形態１における冷蔵庫の斜視図
【図２】同冷蔵庫の縦断面図
【図３】同冷蔵庫の図２におけるＡ部拡大図
【図４】従来の冷蔵庫のガスケットの断面図
【発明を実施するための形態】
【００１２】
請求項１に記載の発明は、内箱と、外箱と、前記内箱および前記外箱の間に充填された断熱材とにより形成された断熱箱体と、前記断熱箱体内の貯蔵室の前面に備えた開閉可能な扉と、前記扉に設けられ前記貯蔵室の前面開口部に密着するガスケットと、前記断熱箱体内に設けられた軟質材とを備え、前記ガスケットは、マグネットを内蔵したマグネット保持部と、前記扉に設けた溝と係合する取付部と、前記取付部と前記マグネット保持部を伸縮自由に接続する可撓部と、マグネット保持部の下部に接してマグネット保持部と可撓部との間に形成したマグネット下袋状部と、を備え、前記断熱箱体と密着するマグネット当接面の基準面に対し扉内側に位置してガスケット凸部を備えたことにより、ガスケットと軟質材と断熱箱体および断熱扉で独立した空気層を形成でき、庫内と庫外の熱交換を抑制することができるので、省エネ性を高めた冷蔵庫を提供することができる。
【００１３】
請求項２に記載の発明は、請求項１に記載の発明において、前記軟質材は前記ガスケット凸部と接近または当接するように構成されたことにより、より確実にガスケットと軟質材と断熱箱体および断熱扉で独立した空気層を形成でき、庫内と庫外の熱交換を抑制することができる。
【００１４】
請求項３に記載の発明は、請求項１または２に記載の発明において、前記軟質材の庫内側平面は前記取付部より扉凸部側に位置するように構成されたことにより、軟質材と扉凸部との空間を低減でき、ガスケット凸部によるガスケットと軟質材と断熱箱体および断熱扉で形成される独立した空気層を容易に形成でき、庫内と庫外の熱交換を抑制することができる。
【００１５】
請求項４に記載の発明は、請求項１から３のいずれか一項に記載の発明において、前記ガスケット凸部は、袋状またはヒレで構成されたことにより、簡素な構造で確実にガスケットと軟質材と断熱箱体および断熱扉で独立した空気層を形成でき、庫内と庫外の熱交換を抑制することができる。
【００１６】
以下、本発明の実施の形態について、図面を参照しながら説明する。なお、この実施の形態によってこの発明が限定されるものではない。
【００１７】
（実施の形態１）
図１、図２は本発明の実施の形態１における冷蔵庫の全体構成を説明する図、図３は冷蔵庫の開口部周縁のスロート部の部分拡大図（図２のＡ部拡大図）である。
【００１８】
図において、冷蔵庫本体１は金属製の外箱２と、硬質樹脂製の内箱３と、前記外箱２および内箱３の間に発泡充填した発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した観音開き式扉７と引出し式の扉８、９、１０、１１で開閉自在
としてある。
【００１９】
冷蔵庫本体１内に形成した貯蔵室は、最上部の冷蔵室１４と、冷蔵室１４の下に設けた温度帯切り替え可能な切替室１５及びその横に設けた製氷室１６と、切替室１５及び製氷室１６と最下部の野菜室１７との間に設けた冷凍室１８で構成している。
【００２０】
また、冷蔵庫本体１の冷凍室１８背面には冷却室１９が設けてあり、この冷却室１９には冷気を生成する冷却器２０と、冷気を前記各室に供給する冷却ファン２１とが設置してある。そして更に冷却器２０の下方にはガラス管ヒータ等で構成した除霜手段２２が設けてある。
【００２１】
冷却器２０は、圧縮機２３と、コンデンサ（図示せず）と、放熱用の放熱パイプ（図示せず）と、キャピラリーチューブ（図示せず）とを環状に接続して冷凍サイクルを構成しており、圧縮機２３によって圧縮された冷媒の循環によって冷却を行う。
【００２２】
また、冷却ファン２１は冷却器２０の上方に設けてあり、その下流側に連なる冷蔵室ダクト２４、冷凍室ダクト２５、野菜室ダクト（図示せず）を介して冷蔵室１４、冷凍室１８、野菜室１７等に冷気を供給し、これら各室を冷却するようになっている。
【００２３】
冷蔵室１４は、冷蔵庫本体１の最上部に位置していて、複数の棚板２７を着脱自在に設けて冷蔵室内空間を上下複数の空間に仕切るとともに、図２に示すように下部に二つの低温貯蔵室、例えばパーシャルフリーザ室２８とチルド室２９が上下二段に重ねて設けてある。
【００２４】
なお、上記冷蔵室１４は、凍らない程度の１〜５℃に冷却され、冷蔵室内のパーシャルフリーザ室２８は微凍結保存に適した−２〜−３℃、チルド室２９は冷蔵室１４よりも低くパーシャルフリーザ室２８よりは若干高めの１℃前後の温度に冷却されるようになっている。
【００２５】
図３は、引出し式の扉８、９、１０、１１と内箱３によって形成される冷蔵庫本体１の開口部周縁のスロート部の部分拡大図で、一例として、図２のＡ部を拡大した図である。
【００２６】
冷蔵庫本体１の開口部のスロート４７は、引出し式の扉８の周縁に取り付けられたガスケット４２が冷蔵庫本体１の外箱のマグネット当接面５１と当接することで断熱している。扉８と庫内平面４６の間の空間４９を小さくし断熱性を向上させるために、扉８には扉凸部４８が設けられている。
【００２７】
ガスケット４２は、マグネットを内蔵したマグネット保持部５３と、扉８に設けた溝と係合する取付部５４と、取付部５４とマグネット保持部５３を伸縮自由に接続する可撓部５５と、マグネット保持部５３の下部に接してマグネット保持部５３と可撓部５５との間に形成したマグネット下袋状部５６とを備えている。
【００２８】
そして、空間４９の隙を詰めることを目的として、ガスケット４２に袋形状のガスケット凸部４５がガスケット４２と一体的に形成されている。
【００２９】
ガスケット凸部４５は、断熱箱体と密着するマグネット当接面５１の基準面（垂直面）に対し扉内側に位置して配置されている。
【００３０】
軟質材４４は、冷蔵庫本体１の開口部のスロート４７内で、扉凸部４８に対向した内箱庫内表面４３に接着して取り付けられている。軟質材４４はポリエチフォーム等の柔軟で
断熱性を有するもので、閉扉時、ガスケット凸部４５と接近または当接するように構成されている。
【００３１】
また、軟質材４４の庫内側平面Ｂは取付部５４の水平面Ｃより扉凸部４８の庫内側平面Ｄ側に位置するように構成されている。
【００３２】
以上のように構成された冷蔵庫において、以下その動作、作用を説明する。
【００３３】
引き出し式の扉８は、使用者が内部の保存食品を取り出したり、内部に食品を保存する場合に引き出され、その後閉扉される。
【００３４】
引き出し式の扉８の周縁に取り付けられたガスケット４２が冷蔵庫本体１の外箱のマグネット当接面５１と当接することで、スロート４７の空間４９から外気５２側に冷気が洩れることを防いでいる。
【００３５】
この時、ガスケット４２と一体的に形成され、マグネット当接面５１の基準面（垂直面）に対し扉内側に位置して配置された袋形状のガスケット凸部４５と、扉凸部４８に対向した内箱庫内表面４３に接着して取り付けられ、ガスケット凸部４５と接近または当接する軟質材４４とで、スロート４７は冷気の流れが遮断される。すなわち、庫内の空間４９と外気５２との間には、ガスケット４２による断熱効果（シール効果）に加え、上述したようにガスケット凸部４５と軟質材４４とでスロート４７内に独立して遮断された空間が形成されることにより、より優れた断熱効果（シール効果）を発揮することができる。これによって、庫内と庫外の熱交換を抑制し、より優れた断熱性を有する断熱箱体を備えた冷蔵庫を提供することができる。
【００３６】
そして、ガスケット凸部４５は、断熱箱体と密着するマグネット当接面５１の基準面（垂直面）に対し扉内側に位置して配置されているので、ガスケット４２と軟質材４４と断熱箱体および断熱扉で独立した空気層を容易に形成でき、庫内と庫外の熱交換を確実に抑制することができる。
【００３７】
また、軟質材４４は、冷蔵庫本体１の開口部のスロート４７内で、扉凸部４８に対向した内箱庫内表面４３に接着して取り付けられ、ポリエチフォーム等の柔軟で断熱性を有し、閉扉時、ガスケット凸部４５と接近または当接するように構成されているので、独立した空気層を確実に形成でき、庫内と庫外の熱交換を抑制することができる。
【００３８】
また、軟質材４４の庫内側平面Ｂは取付部５４の水平面Ｃより扉凸部４８の庫内側平面Ｄ側に位置するように構成されているので、軟質材４４によるスロート４７の幅（高さ寸法）を小さくすることができ、より確実に庫内の空間４９と外気５２との間の熱交換を抑制することができる。
【００３９】
なお、本実施の形態ではガスケット凸部４５は袋形状としたが、軟質状のヒレやシールサッシュ等で形成してもよい。
【００４０】
また、本実施の形態ではガスケット凸部４５は、ガスケット４２と一体的に形成されたもので説明したが、別体で構成しスロート４７内の扉凸部４８等に備えたものでもよい。
【００４１】
また、本実施の形態では引き出し式の扉８について説明したが、これに限定されるものではなく、その他の引き出し式の扉についても同様の作用効果を得ることができる。
【産業上の利用可能性】
【００４２】
以上のように、本発明にかかる冷蔵庫は、扉スロート部に独立した空気層を形成し、庫内と庫外の熱交換を抑制することができるので、扉スロート部を備えたあらゆる冷却機器に適用できる。
【符号の説明】
【００４３】
１  冷蔵庫本体
２  外箱
３  内箱
４  発泡断熱材
５、６  仕切板
７  観音開き式扉
８、９、１０、１１、１２  扉
１４  冷蔵室
１５  切替室
１６  製氷室
１７  野菜室
１８  冷凍室
１９  冷却室
２０  冷却器
２１  冷却ファン
２２  除霜手段
２３  圧縮機
２４  冷蔵室ダクト
２５  冷凍室ダクト
２７  棚板
２８  パーシャルフリーザ室
２９  チルド室
４２  ガスケット
４３  内箱庫内表面
４４  軟質材
４５  ガスケット凸部
４６  庫内平面
４７  スロート
４８  扉凸部
４９  空間
５１  マグネット当接面
５２  外気
５３  マグネット保持部
５４  取付部
５５  可撓部
５６  マグネット下袋状部
【図１】
2018066537.tif 000003
【図２】
2018066537.tif 000004
【図３】
2018066537.tif 000005
【図４】
2018066537.tif 000006